(57)【要約】      （修正有）【課題】表示媒体への露光光による書込みにおける明暗差の低下を抑制可能な表示媒体、書込装置、及び書込方法を提供する。【解決手段】一対の電極と、前記一対の電極間に設けられ、前記一対の電極間に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層と、前記光導電層より前記露光光の照射方向上流側に設けられ、前記露光光の波長領域の光は透過する遮光層と、を少なくとも含む表示媒体。【選択図】図１
2008083581.tif 000002
【特許請求の範囲】
【請求項１】
一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層と、前記光導電層より前記露光光の照射方向上流側に設けられ、前記露光光の波長領域の光は透過する遮光層と、を少なくとも含むことを特徴とする表示媒体。
【請求項２】
一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層と、前記光導電層より前記露光光の照射方向上流側に設けられ、前記露光光の波長領域を除いた波長領域の光の少なくとも一部を吸収または反射する遮光層と、を少なくとも含むことを特徴とする表示媒体。
【請求項３】
一対の前記遮光層を備え、前記光導電層が前記一対の遮光層によって挟まれていることを特徴とする請求項１または請求項２に記載の表示媒体。
【請求項４】
一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層とを少なくとも含む表示媒体に対し、前記一対の電極間に電圧を印加する電圧印加手段と、
前記電圧印加手段により電圧を印加された前記表示媒体の前記光導電層に画像データに応じた露光光を照射して書込みを行う書込手段と、
前記表示媒体の前記光導電層より前記露光光の照射方向上流側に設けられ、前記露光光の波長領域の光は透過する遮光手段と、
を備えた書込装置。
【請求項５】
一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層とを少なくとも含む表示媒体に対し、前記一対の電極間に電圧を印加する電圧印加手段と、
前記電圧印加手段により電圧を印加された前記表示媒体の光導電層に画像データに応じた露光光を照射して書込みを行う書込手段と、
前記表示媒体の前記光導電層より前記露光光の照射方向上流側に設けられ、前記露光光の波長領域を除いた波長領域の光の少なくとも一部を吸収または反射する遮光手段と、
を備えた書込装置。
【請求項６】
前記書込手段は、可視光領域以外の波長領域の光を前記露光光として前記光導電層へ照射する第１の照射手段と、該第１の照射手段による該光導電層への該露光光の照射領域に可視光領域の波長領域の光を照射する第２の照射手段と、を含むことを特徴とする請求項４または請求項５に記載の書込装置。
【請求項７】
前記光導電層に照射される光の光量を検出する光量検出手段と、
前記表示層上に形成される画像の明暗の差を示す情報を出力する出力手段と、
前記露光光の前記光導電層への照射を開始または照射を停止するように前記書込手段を制御すると共に、前記露光光の照射を開始するように前記書込手段を制御したときの前記光量検出手段による光量検出結果と、前記露光光の照射を停止するように前記書込手段を制御したときの前記光量検出手段による光量検出結果と、の差に基づいて、前記露光光の照射領域と非照射領域との明暗の差を示す情報を出力するように前記出力手段を制御する制御手段と、
を備えたことを特徴とする請求項４乃至請求項６の何れか１項に記載の書込装置。
【請求項８】
一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層とを少なくとも含む表示媒体に対し、前記一対の電極間に電圧を印加する電圧印加工程と、
電圧を印加された前記表示媒体の前記光導電層に、前記露光光の波長領域の光は透過する遮光層を介して、画像データに応じた該露光光を照射して書込みを行う書込工程と、
を備えたことを特徴とする書込方法。
【請求項９】
一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層とを少なくとも含む表示媒体に対し、前記一対の電極間に電圧を印加する電圧印加工程と、
前記電圧印加手段により電圧を印加された前記表示媒体の前記光導電層に、前記露光光の波長領域を除いた波長領域の光の少なくとも一部を吸収または反射する遮光層を介して、画像データに応じた該露光光を照射して書込みを行う書込工程と、
を備えたことを特徴とする書込方法。
【請求項１０】
前記書込工程では、可視光領域以外の波長領域の光を前記露光光として前記光導電層へ照射すると共に、前記光導電層への前記露光光の照射領域に可視光領域の波長領域の光を照射することを特徴とする請求項８または請求項９に記載の書込方法。
【請求項１１】
前記遮光層は、可視光領域以外の波長領域の光のみを透過することを特徴とする請求項１０に記載の書込方法。
【請求項１２】
前記遮光層は、可視光領域の光の少なくとも一部を吸収または反射することを特徴とする請求項１０に記載の書込方法。
【請求項１３】
前記遮光層は、黒色ペリレン系顔料を含んで構成されることを特徴とする請求項１０乃至請求項１２の何れか１項に記載の書込方法。
【請求項１４】
前記光導電層が、フタロシアニン系化合物を含んで構成されることを特徴とする請求項１０乃至請求項１３の何れか１項に記載の書込方法。
【発明の詳細な説明】
【技術分野】
【０００１】
本発明は、表示媒体、書込装置、及び書込方法に関する。
【背景技術】
【０００２】
近年、パーソナルコンピュータの普及、インターネットを始めとする情報化社会の発達により、電子情報の一時的な閲覧を目的とする、いわゆる短寿命文書としての紙の消費は、益々増加する傾向にあり、森林資源保護などの地球環境保全や事務環境改善などの理由から、紙に代わる書き換え可能な表示媒体の実現が望まれている。
【０００３】
そこで、無電源でのメモリ性を有し、且つ外部装置によって短時間で画像を書き換えることができる紙に代わる表示媒体として、コレステリック液晶と、電場下で光照射されることで内部光電効果による自由電子の移動が発生する光導電体と、を用いた表示媒体が提案されている（例えば、特許文献１参照）。
【０００４】
図１１（Ａ）は、特許文献１に示される光導電層と表示層とを組み合わせた表示媒体１００の断面図であり、フィルム等の基板１０３及び基板１０２上に形成された一対の電極１０４及び電極１０６間に、光導電層１１０と、遮光層１１２と、表示層１０８と、が積層されて構成されている。この表示媒体１００には、表示媒体１００への書込み時には、露光光１１６が光導電層に照射され、読取り時には、表示媒体１００の露光光１１６照射方向とは反対側から読出光１１８が表示層１０８に照射される。
【０００５】
詳細には、この表示媒体１００において電極１０４及び電極１０６間に電圧が印加されると、表示層１０８及び光導電層１１０にはそれぞれの分圧が印加される。この分圧が印加された状態で光導電層１１０に露光光１１６が照射されると、その照射された露光光１１６を吸収することで該露光光１１６に応じて光導電層１１０の抵抗分布が変化する。このため、露光光１１６に応じて表示層１０８に印加される分圧が変化する。表示層１０８に印加される電圧分布が変化すると、液晶の配向分布が変化して光学的特性分布が変化するので、露光光１１６に応じた画像が表示層１０８に記録される。
【０００６】
遮光層１１２は、読出光１１８を遮る機能を有し、表示層１０８と光導電層１１０とに挟まれて設けられており、表示媒体１０の画像を読取る時に読出光１１８が表示層１０８を介して光導電層１１０まで入射することを抑制している。
【０００７】
また、上記表示媒体として、露光光１１６と読出光１１８とを表示媒体１０の同じ面側から照射する表示媒体も知られており、この表示媒体において、図１１（Ｂ）に示すように、表示層１０８及び光導電層１１０より読出光１１８の照射方向下流側に、読出光１１８の反照射方向側から入射される光を遮断するための遮光層１１２を設けた表示媒体１０１も知られている。
【特許文献１】特開２００３−５２１０号公報
【発明の開示】
【発明が解決しようとする課題】
【０００８】
本発明は、表示媒体への露光光による書込みにおける明暗差の低下を抑制可能な表示媒体、書込装置、及び書込方法を提供することを目的とする。
【課題を解決するための手段】
【０００９】
上記課題は、以下の本発明により達成される。すなわち、
【００１０】
請求項１に係る発明は、一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層と、前記光導電層より前記露光光の照射方向上流側に設けられ、前記露光光の波長領域の光は透過する遮光層と、を少なくとも含むことを特徴とする表示媒体である。
【００１１】
請求項２に係る発明は、一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層と、前記光導電層より前記露光光の照射方向上流側に設けられ、前記露光光の波長領域を除いた波長領域の光の少なくとも一部を吸収または反射する遮光層と、を少なくとも含むことを特徴とする表示媒体である。
【００１２】
請求項３に係る発明は、請求項１または請求項２に記載の発明において、一対の前記遮光層を備え、前記光導電層が前記一対の遮光層によって挟まれていることを特徴とする表示媒体である。
【００１３】
請求項４に係る発明は、一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層とを少なくとも含む表示媒体に対し、前記一対の電極間に電圧を印加する電圧印加手段と、前記電圧印加手段により電圧を印加された前記表示媒体の前記光導電層に画像データに応じた露光光を照射して書込みを行う書込手段と、前記表示媒体の前記光導電層より前記露光光の照射方向上流側に設けられ、前記露光光の波長領域の光は透過する遮光手段と、を備えた書込装置である。
【００１４】
請求項５に係る発明は、一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層とを少なくとも含む表示媒体に対し、前記一対の電極間に電圧を印加する電圧印加手段と、前記電圧印加手段により電圧を印加された前記表示媒体の光導電層に画像データに応じた露光光を照射して書込みを行う書込手段と、前記表示媒体の前記光導電層より前記露光光の照射方向上流側に設けられ、前記露光光の波長領域を除いた波長領域の光の少なくとも一部を吸収または反射する遮光手段と、を備えた書込装置である。
【００１５】
請求項６に係る発明は、請求項４または請求項５に記載の発明において、前記書込手段は、可視光領域以外の波長領域の光を前記露光光として前記光導電層へ照射する第１の照射手段と、該第１の照射手段による該光導電層への該露光光の照射領域に可視光領域の波長領域の光を照射する第２の照射手段と、を含むことを特徴とする書込装置である。
【００１６】
請求項７に係る発明は、請求項４から請求項６の何れか１項に記載の発明において、前記光導電層に照射される光の光量を検出する光量検出手段と、前記表示層上に形成される画像の明暗の差を示す情報を出力する出力手段と、前記露光光の前記光導電層への照射を開始または照射を停止するように前記書込手段を制御すると共に、前記露光光の照射を開始するように前記書込手段を制御したときの前記光量検出手段による光量検出結果と、前記露光光の照射を停止するように前記書込手段を制御したときの前記光量検出手段による光量検出結果と、の差に基づいて、前記露光光の照射領域と非照射領域との明暗の差を示す情報を出力するように前記出力手段を制御する制御手段と、を備えたことを特徴とする書込装置である。
【００１７】
請求項８に係る発明は、一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層とを少なくとも含む表示媒体に対し、前記一対の電極間に電圧を印加する電圧印加工程と、電圧を印加された前記表示媒体の前記光導電層に、前記露光光の波長領域の光は透過する遮光層を介して、画像データに応じた該露光光を照射して書込みを行う書込工程と、を備えたことを特徴とする書込方法である。
【００１８】
請求項９に係る発明は、一対の電極と、前記一対の電極間に設けられ、前記一対の電極に印加された電圧により形成された電場下で予め定められた波長領域の露光光が照射されることにより該露光光の強度分布に応じた電気的特性分布を示す光導電層と、前記一対の電極に印加された電圧による前記光導電層の電気的特性分布に応じて分布した分圧が印加され、該分圧に応じて光学的特性分布による画像が表示される表示層とを少なくとも含む表示媒体に対し、前記一対の電極間に電圧を印加する電圧印加工程と、前記電圧印加手段により電圧を印加された前記表示媒体の前記光導電層に、前記露光光の波長領域を除いた波長領域の光の少なくとも一部を吸収または反射する遮光層を介して、画像データに応じた該露光光を照射して書込みを行う書込工程と、を備えたことを特徴とする書込方法である。
【００１９】
請求項１０に係る発明は、請求項８及び請求項９に係る発明において、前記書込工程では、可視光領域以外の波長領域の光を前記露光光として前記光導電層へ照射すると共に、前記光導電層への前記露光光の波長領域の照射領域と同一領域に可視光領域の光を照射することを特徴とする書込方法である。
【００２０】
請求項１１に係る発明は、請求項１０に係る発明において、前記遮光層は、可視光領域以外の波長領域の光のみを透過することを特徴とする書込方法である。
【００２１】
請求項１２に係る発明は、請求項１０に係る発明において、前記遮光層は、可視光領域の光の少なくとも一部を吸収または反射することを特徴とする書込方法である。
【００２２】
請求項１３に係る発明は、請求項１０から請求項１２の何れか１項に記載の書込方法において、前記遮光層は、黒色ペリレン系顔料を含んで構成されることを特徴とする書込方法である。
【００２３】
請求項１４に係る発明は、請求項１０から請求項１３の何れか１項に記載の書込方法において、前記光導電層が、フタロシアニン系化合物を含んで構成されることを特徴とする書込方法である。
【発明の効果】
【００２４】
請求項１に記載の発明によれば、本構成を有していない場合に比較して、露光光による書込みにおける明暗差の低下を抑制可能な表示媒体を提供することができる。
【００２５】
請求項２に記載の発明によれば、本構成を有していない場合に比較して、露光光による書込みにおける明暗差の低下を抑制可能な表示媒体を提供することができる。
【００２６】
請求項３に記載の発明によれば、表示媒体の両面から露光光が照射されて書込みが行われる場合についても、本構成を有していない場合に比較して、露光光による書込みにおける明暗差の低下を抑制することができる。
【００２７】
請求項４に記載の発明によれば、本構成を有していない場合に比較して、露光光による表示媒体への書込みにおける明暗差の低下を抑制可能な書込装置を提供することができる。
【００２８】
請求項５に記載の発明によれば、本構成を有していない場合に比較して、露光光による表示媒体への書込みにおける明暗差の低下を抑制可能な書込装置を提供することができる。
【００２９】
請求項６に記載の発明によれば、表示媒体への露光光の露光位置を視認可能な書込装置を提供することができる。
【００３０】
請求項７に記載の発明によれば、露光光による表示媒体への書込みにより書込まれる画像に明暗差が得られるか否かを提示することが可能な書込装置を提供することができる。
【００３１】
請求項８に記載の発明によれば、本構成を有していない場合に比較して、露光光による表示媒体への書込みにおける明暗差の低下を抑制可能な書込方法を提供することができる。
【００３２】
請求項９に記載の発明によれば、本構成を有していない場合に比較して、露光光による表示媒体への書込みにおける明暗差の低下を抑制可能な書込方法を提供することができる。
【００３３】
請求項１０に記載の発明によれば、表示媒体への露光光の露光位置を視認可能な書込方法を提供することができる。
【００３４】
請求項１１に記載の発明によれば、本構成を有していない場合に比較して、露光光による表示媒体への書込みにおける明暗差の低下を抑制可能な書込方法を提供することができる。
【００３５】
請求項１２に記載の発明によれば、本構成を有していない場合に比較して、露光光による表示媒体への書込みにおける明暗差の低下を抑制可能な書込方法を提供することができる。
【００３６】
請求項１３に記載の発明によれば、本構成を有していない場合に比較して、露光光による表示媒体への書込みにおける明暗差の低下を抑制可能な書込方法を提供することができる。
【００３７】
請求項１４に記載の発明によれば、本構成を有していない場合に比較して、露光光による表示媒体への書込みにおける明暗差の低下を抑制可能な書込方法を提供することができる。
【発明を実施するための最良の形態】
【００３８】
本発明の表示媒体、書込装置、及び書込方法の一の実施の形態を図面に基づき説明する。
【００３９】
（第１の実施の形態）
本実施の形態の形態に係る表示媒体１０は、図１に示すように、それぞれ電極１６及び電極１８を備えた基板１２及び基板１４間に、光導電層２４と、遮光層２２と、液晶層２０と、が積層されて構成されている。なお、表示媒体１０が、本発明の表示媒体に相当し、光導電層２４が、本発明の表示媒体の光導電層２４に相当し、液晶層２０が、本発明の表示媒体の表示層に相当し、遮光層２２が、本発明の表示媒体の遮光層に相当する。
【００４０】
基板１２及び基板１４各々は、絶縁性（体積抵抗で１０１２Ωｃｍ以上、以下これに準ずる）を有している。また、基板１２及び基板１４の内の、表示媒体１０に画像を書込むときに照射する光である露光光（詳細後述）２６が照射される側または表示媒体１０に表示された画像を読み取るときに表示媒体１０に入射される外部光３０が入射される側に位置する基板、または基板１２及び基板１４の双方は、透光性を有している。
【００４１】
なお、本実施の形態において、透光性とは、波長３８０〜７８０ｎｍの光の８０％以上を透過する性質を示している。
【００４２】
また、本実施の形態において、露光光２６以外に表示媒体１０に照射される光を、外部光３０と称し、この外部光３０の内、表示媒体１０への露光光２６の照射時に表示媒体１０に入射される光を外光３０Ａと称し、表示媒体１０に書込まれた画像を読み取るときに表示媒体１０に入射される光を読出光３０Ｂと称して説明する。
【００４３】
基板１２及び基板１４は、ガラス及びシリコン等の無機シート、またはポリエチレンテレフタレート、ポリスルホン、ポリエーテルスルホン、ポリカーボネート、及びポリエチレンナフタレート等の高分子フィルムを用いて構成することができる。基板１２及び基板１４の厚みは、０．０１ｍｍ〜０．５ｍｍの範囲内であることが好ましい。
【００４４】
電極１６及び電極１８は、導電性（シート抵抗（表面抵抗）で５００Ω/□  以下、これに準ずる）を有している。また、電極１６及び電極１８の内の、露光光２６が照射される側または読出光３０Ｂが入射される側に位置する基板、または基板１２及び基板１４の双方は、透光性を有している。
【００４５】
電極１６及び電極１８には、ＩＴＯ（Ｉｎｄｉｕｍ  Ｔｉｎ  Ｏｘｉｄｅ）を用いることができる。なお、本実施の形態では、電極１６及び電極１８にＩＴＯを用いる場合を説明するが、ＩＴＯ以外にも、Ａｕなどの金属膜、ＳｎＯ2、ＺｎＯなど酸化物、ポリピロールなどの導電性高分子の膜などの電気導電体を用いることができる。また、本実施の形態の一対の電極１６及び電極１８は、基板１２及び基板１４上にスパッタリングされて形成されているが、必ずしもスパッタリングによる必要はなく、印刷、ＣＶＤ、蒸着などにより形成することもできる。
【００４６】
電極１６及び電極１８の形態及び駆動方式としては、本実施の形態においては両電極共に表示領域に共通の電極とし、駆動方式は特開２００３−１４０１８４号公報と特開２０００−１１１９４２号公報とに記載の駆動方式を用いて駆動させている。しかし、基板１２側の電極１６と基板１４側の電極１８の一方を表示媒体１０に表示する画像の各画素に共通の電極とし、他方を各画素に個別の電極とするセグメント駆動方式、電極１６と電極１８とを互いに交差する方向に各々ストライプ状に形成して、互いに対峙する位置を１つの画素に対応する領域とする単純マトリクス駆動方式、電極１６及び電極１８の一方を各画素に共通の電極とし、他方を互いに交差するストライプ状の走査電極及び信号電極から構成されるものとして、これにＴＦＴやＭＩＮ等の能動素子を設けるアクティブマトリックス駆動方式等であってもよい。
【００４７】
光導電層２４は、所定の波長の光を吸収すると共に、電場下でこの所定の波長の光を照射されると内部光電効果による自由電子の移動が発生し、光の強度に応じて抵抗値が小さくなる。露光光２６としては、この光導電層２４が光吸収感度を有する波長領域の光が、露光光２６として定められる。
【００４８】
光導電層２４としては、（ａ）無機半導体材料として、アモルファス・シリコンや、ＺｎＳｅ、ＣｄＳなどの化合物半導体から構成される層、（ｂ）有機半導体材料として、アントラセン、ポリビニルカルバゾールなどから構成される層、（ｃ）光照射によって電荷を発生する電荷発生材料及び電界によって電荷移動を生ずる電荷輸送材料の混合物や積層体から構成される層などが挙げられる。
【００４９】
ここで、光導電層２４は、上述のように、内部光電効果を有し、照射された光の強度に応じて抵抗値が変化することから、交流駆動が可能であり、且つ照射された光に対して対象駆動することが好ましく、この観点から、図１に示すように、電荷輸送層（ＣＴＬ）２４Ｂを上下から挟むように一対の電荷発生層（ＣＧＬ）２４Ａ及び電荷発生層２４Ｃが積層された３層構造であることが好ましい。
【００５０】
電荷発生層２４Ａ及び電荷発生層２４Ｃは、露光光２６を吸収して自由電子を発生させる機能を有する層である。電荷発生層２４Ａ及び電荷発生層２４Ｃとしては、露光光２６を吸収して励起子を発生させ、電荷発生層２４Ａ及び電荷発生層２４Ｃの内部、または電荷輸送層２４Ｂとの界面で自由電子に効率良く分離させられるものが好ましい。
【００５１】
電荷発生層２４Ａ及び電荷発生層２４Ｃ各々を構成する電荷発生材料としては、例えば、ペリレン系、フタロシアニン系、ビスアゾ系、ジチオピトケロピロール系、スクワリリウム系、アズレニウム系、チアピリリウム・ポリカーボネート系化合物などが挙げられる。
【００５２】
ここで、詳細は後述するが、露光光２６を表示媒体１０へ照射することによって表示媒体１０に画像書込みを行うときに、例えば、室内において画像書込みを行う場合等においては、画像書込みのための露光光２６とともに、蛍光灯や白熱灯等の露光光２６の波長以外の波長の外光３０Ａが同時期に表示媒体１０へ照射される場合がある。
【００５３】
外部光３０の一例には、蛍光灯が挙げられ、昼光色蛍光灯の波長と比エネルギーとの関係、及び高演色蛍光灯の波長と比エネルギーとの関係は、図２（Ａ）及び図２（Ｂ）各々に示されるように、４００ｎｍから７００ｎｍの波長領域を有することが知られている。
【００５４】
露光光２６は、光導電層２４の光吸収感度に応じた波長領域の光であることから、図２に示す波長領域を有する外部光３０の波長領域内の光吸収感度を光導電層２４が有すると、露光光２６による液晶層２０への画像書込みに影響を及ぼす場合がある。
このため、光導電層２４は、外部光３０とは異なる波長領域の光に光吸収感度を有する材料を用いる事が好ましく、外部光３０の有する波長以外の光として、赤外光の波長領域について光吸収感度を有する材料を用いる事が好ましい。なお、露光光２６としても、画像書込みにおける明暗差の低下を抑制する観点から、赤外光の波長領域の光が用いられることが好ましい。
【００５５】
上記電荷発生層２４Ａ及び電荷発生層２４Ｃ各々を構成する電荷発生材料として挙げた材料のうち、外部光３０の有する波長以外の光として、赤外光の波長領域について光吸収感度を有する材料として、６００〜８５０ｎｍに優れた光感度を有する点でフタロシアニン系化合物を用いる事が好ましい。
【００５６】
前記フタロシアニン系化合物としては、例えば、無金属フタロシアニン、金属フタロシアニン、及びそれらのダイマ−などが挙げられる。
【００５７】
前記金属フタロシアニンの中心金属としては、例えば、Ｃｕ、Ｎｉ、Ｚｎ、Ｃｏ、Ｆｅ、Ｖ、Ｓｉ、Ａｌ、Ｓｎ、Ｇｅ、Ｔｉ、Ｉｎ、Ｇａ、Ｍｇ、Ｐｂ等が挙げられる。また、これら中心金属の酸化物、水酸化物、ハロゲン化物、アルキル化物、アルコキシ化物等も使用できる。具体的には、無金属フタロシアニン、チタニルフタロシアニン、クロロガリウムフタロシアニン、ヒドロキシガリウムフタロシアニン、１，２−ジ（オキソガリウムフタロシアニニル）エタン、バナジルフタロシアニン、クロロインジウムフタロシアニン、ジクロロ錫フタロシアニン、銅フタロシアニンなどが挙げられる。また、これらのフタロシアニン環に置換基を含むものも使用することができる。更にまた、これらのフタロシアニン環中の炭素原子が窒素原子で置換されたものも有効である。これらフタロシアニン系化合物の形態としては、アルモルファス又は公知の総ての結晶多形のものが使用可能である。これらフタロシアニン系化合物は、１種単独で使用してもよいし、２種以上を併用してもよい。
【００５８】
これらフタロシアニン系化合物の中でも、チタニルフタロシアニン、クロロガリウムフタロシアニン、ヒドロキシガリウムフタロシアニン、１，２−ジ（オキソガリウムフタロシアニニル）エタン、無金属フタロシアニン、バナジルフタロシアニン、及びジクロロ錫フタロシアニンは、特に優れた光感度を有している点で特に好ましい。
【００５９】
更にこれらのフタロシアニン系化合物は、以下に示す結晶形にて用いることが好ましい。即ち、無金属フタロシアニンにおいてはＸ型が、バナジルフタロシアニンにおいてはα型が、それぞれ好ましい。チタニルフタロシアニンにおいては、ＣｕＫαを線源とするＸ線回折スペクトルにおいて、少なくともブラッグ角度（２θ±０．２゜）が、9.2 °、13.1°、20.7°、26.2°及び27.1°に強い回折ピークを有するもの、少なくとも7.6 °、12.3°、16.3°、25.3°及び28.7°に強い回折ピークを有するもの、並びに、少なくとも9.5 °、11.7°、15.0°、23.5°及び27.3°に強い回折ピークを有するものなどが挙げられる。クロロガリウムフタロシアニンにおいては、ＣｕＫαを線源とするＸ線回折スペクトルにおいて、少なくともブラッグ角度（２θ±０．２゜）が、13.4°及び27.0°に強い回折ピークを有するもの、並びに、少なくとも7.4 °、16.6°、25.5°及び28.3°に強い回折ピークを有するものなどが挙げられる。ヒドロキシガリウムフタロシアニンにおいては、ＣｕＫαを線源とするＸ線回折スペクトルにおいて、少なくともブラッグ角度（２θ±０．２゜）が、7.5 °、9.9 °、12.5°、16.3°、18.6°、25.1°及び28.3°に強い回折ピークを有するものなどが挙げられる。1,2-ジ(オキソガリウムフタロシアニニル)エタンにおいては、ＣｕＫαを線源とするＸ線回折スペクトルにおいて、少なくともブラッグ角度（２θ±０．２゜）が、6.9 °、13.0°、15.9°、25.6°及び26.1°に強い回折ピークを有するものなどが挙げられる。ジクロロ錫フタロシアニン結晶においては、ＣｕＫαを線源とするＸ線回折スペクトルにおいて、少なくともブラッグ角度（２θ±０．２゜）が、8.3 °、13.7°及び28.3°に強い回折ピークを有するもの、少なくとも8.5 °、11.2°、14.5°及び27.2°に強い回折ピークを有するもの、並びに、少なくとも9.2 °、12.2°、13.4°、14.6°、17.0°及び25.3°に強い回折ピークを有するものなどが挙げられる。 
【００６０】
上記電荷輸送層２４Ｂを構成する電荷輸送材料としては、例えば、トリニトロフルオレン系、ポリビニルカルバゾール系、オキサジアゾール系、ピラリゾン系、ヒドラゾン系、スチルベン系、トリフェニルアミン系、トリフェニルメタン系、ジアミン系化合物や、ＬｉＣｌＯ4を添加したポリビニルアルコ−ルやポリエチレンオキシド等が、また電荷発生材と電荷輸送材との複合体として、積層体、混合物、マイクロカプセルなど、を利用することができる。
【００６１】
なお、光導電層２４の層厚は１〜１００μｍの範囲で用い、露光光２６照射時と露光光２６非照射時の抵抗比は大きい方が望ましい。
【００６２】
液晶層２０は、電場によって入射光のうち特定の色光の反射・透過状態を変調する機能を有し、選択した状態が無電場で保持できる性質の層である。曲げや圧力などの外力に対して変形しない構造であることが望ましい。
【００６３】
液晶層２０には、カイラルネマチック液晶（コレステリック液晶）をゼラチンバインダー（高分子マトリックス）中に分散させたＰＤＬＣ（Polymer Network Liquid Crystal）構造を用いることができる。なお、本実施の形態では、液晶層２０がＰＤＬＣ構造を採用する場合を説明するが、この構造に限ることなく、コレステリック液晶を、リブを介し電極間距離を固定したセルに配置する方式やカプセル液晶化することにより実現してもよい。また、液晶もコレステリック液晶に限ることなく、スメクチックＡ液晶、ネマチック液晶、ディスコティック液晶などが利用できる。
【００６４】
液晶層２０の反射波長域（表示色波長域）は、例えば液晶としてコレステリック液晶を用いる場合には、該コレステリック液晶の螺旋ピッチにより調整することができる。コレステリック液晶の螺旋ピッチは、ネマチック液晶に対するカイラル剤の添加量で調整することができる。また、コレステリック液晶の螺旋ピッチの温度依存性を補償するために、捩じれ方向が異なる、または逆の温度依存性を示す複数のカイラル剤を添加する公知の手法を用いてもよい。
なお、液晶の光学的特性変化を補助する補助部材として、偏光板、位相差板、反射板などの受動光学部品と併用したり、液晶中に２色性色素を添加したりしてもよい。
【００６５】
なお、液晶層２０の層厚は通常１〜５０μｍの範囲として用いることが望ましい。
【００６６】
液晶層２０に含まれる液晶材料としては、シアノビフェニル系、フェニルシクロヘキシル系、フェニルベンゾエート系、シクロヘキシルベンゾエート系、アゾメチン系、アゾベンゼン系、ピリミジン系、ジオキサン系、シクロヘキシルシクロヘキサン系、スチルベン系、トラン系など公知の液晶組成物が利用できる。液晶材料には２色性色素などの色素、粒子などの添加剤を加えてもよく、高分子マトリクス中に分散したものや、高分子ゲル化したものや、マイクロカプセル化したものでもよい。また、液晶は高分子、中分子、低分子のいずれでもよく、またこれらの混合物でもよい。
【００６７】
電極１６及び電極１８に電圧が印加されると共に、露光光２６が照射されると、照射された露光光２６の光量に応じて光導電層２４の電気特性分布としての抵抗分布が変化する。この光導電層２４の電気抵抗分布の変化によって、結果として液晶層２０に印加される電圧も露光光２６の光量に応じて変化し、液晶層２０に含まれる液晶の配向が変化して光学的特性分布が変化する。この変化によって、露光光２６に応じた画像が液晶層２０に書込まれる。この液晶層２０に書込まれた画像は、読出光３０Ｂの液晶層２０による反射光として視認される。
【００６８】
遮光層２２は、外光３０Ａや読出光３０Ｂ等の露光光２６以外の外部光３０を反射または吸収すると共に、露光光２６の波長の光のみを透過、または露光光２６の波長領域を除いた波長領域の光を吸収または反射する。
【００６９】
なお、本実施の形態において、「光を吸収する」とは、入射光の光強度が吸収後１０％以下となることを意味し、「光を透過する」とは、入射光の光強度が透過後５０％以上、好ましくは８０％以上であることを意味している。
【００７０】
遮光層２２は、表示媒体１０の、光導電層２４より露光光２６の照射方向上流側に設けられている。なお、本実施の形態では、図１に示すように、遮光層２２は、光導電層２４と液晶層２０とに挟まれて設けられている場合を説明するが、遮光層２２は、光導電層２４より露光光２６の照射方向上流側に設けられていれば良く、例えば、液晶層２０上と電極１６とに挟まれて設けられていても良い。
【００７１】
このため、露光光２６が照射されると、露光光２６の波長領域の光のみが遮光層２２を透過して光導電層２４に到達し、露光光２６の波長領域以外の波長領域の外部光３０は、遮光層２２において吸収または反射されて、光導電層２４に到達することを抑制される。
【００７２】
遮光層２２の電気抵抗は、遮光層２２内の電流によって解像度の低下を引き起こさないように、少なくとも体積抵抗率で１０8Ω・ｃｍ以上とすることが望ましい。さらに、液晶層２０に加わる分圧の変化分を大きくするためには、遮光層２２の静電容量が大きい程よいので、誘電率が大きく層厚が出来る限り薄く形成されることが好ましい。
【００７３】
遮光層２２としては、カドミウム系、クロム系、コバルト系、マンガン系、カーボン系などの無機顔料、またはアゾ系、アントラキノン系、インジゴ系、トリフェニルメタン系、ニトロ系、フタロシアニン系、ペリレン系、ピロロピロール系、キナクリドン系、多環キノン系、スクエアリウム系、アズレニウム系、シアニン系、ピリリウム系、アントロン系、等の有機染料や有機顔料、あるいはこれらを樹脂に分散した材料を用いて形成され、少なくとも上記特性を有すように構成する。
【００７４】
本実施の形態における遮光層２２用の樹脂（バインダー）としては、水溶性樹脂を用いることが好ましく、具体的にはカルボキシル基、スルホン酸基、アミノ基、水酸基、ポリエチレングリコール骨格、アミド基、メチロールアミン基などの親水基を有する樹脂で、例えば、メチルセルロース、ヒドロキシエチルセルロース、ポリエチレンオキシド、アクリルアミド、アルキド樹脂、アクリル樹脂、メラミン樹脂、エポキシ樹脂、ウレタン樹脂、ポリエステル樹脂などが利用できる。グリオキザールやポリイソシアナートなどの架橋剤を添加してもよい。ただし、液晶中に不純物を溶出させないという観点から、これらの材料は非イオン性を有するものであることが好ましい。
【００７５】
ここで、露光光２６照射における外部光３０の影響を抑制する観点から、上述のように、光導電層２４として赤外光の波長領域について光吸収感度を有する材料を用い且つ露光光２６として赤外光の波長領域の光を用いると共に、遮光層２２についても、可視光領域の少なくとも一部の光を吸収または反射、または可視光以外（即ち赤外光）の波長領域の光のみを透過するように構成することが好ましい。
【００７６】
遮光層２２を、可視光領域の少なくとも一部の光を吸収または反射、または可視光以外の波長領域の光のみを透過する構成とするためには、遮光層２２を、黒色ペリレン系顔料を含んだ構成とすればよい。
【００７７】
この黒色ペリレン系顔料は、赤外領域の光を透過すると共に、可視光領域の光を吸収する特性を有している。遮光層２２を構成する材料に含まれるこの黒色ペリレン系顔料含有量は、上記特性を満たすために、５〜５０質量％であることが必須であり、１５〜３５質量％であることが好ましい。
【００７８】
黒色ペリレン系顔料としては、具体的には、ペリレンテトラカルボン酸のジイミド誘導体、ペリレンジイミノジカルボン酸のジイミド誘導体、ペリレンテトラカルボン酸の酸無水物を挙げることができる。
【００７９】
遮光層２２に必要な光学濃度は、光導電層２４の光吸収感度と読出光３０Ｂの強度に依存するため一概に規定できないが、読出光３０Ｂによる画像読み出し時に、読み出し時に視認される方向とは反対側（図１における下側）からの透過光により視認性が低下するのを防止するために、少なくとも１以上、特に２以上が望ましい。特に４００〜７００ｎｍの波長域の光学濃度を高くすると視認性の低下を防止する効果が強い。
【００８０】
このようにして形成した遮光層２２の層厚は、０．５〜３．０μｍの範囲とすることが好ましく、０．７〜２．０μｍの範囲とすることがより好ましい。
【００８１】
次に、上記表示媒体１０に画像を書込む書込装置について説明する。
【００８２】
図３に示すように、書込装置３２は、光照射部３４、出力部４２、制御部３６、メモリ３８、電圧印加部４０、駆動部４５、光量検出センサ４６、操作部４４、及び通信部４７を含んで構成されている。
光照射部３４、出力部４２、メモリ３８、電圧印加部４０、駆動部４５、光量検出センサ４６、操作部４４、及び通信部４７は、制御部３６に信号授受可能に接続されている。
【００８３】
制御部３６は、ＣＰＵ（中央演算処理装置）、ＲＯＭ（Ｒｅａｄ  Ｏｎｌｙ  Ｍｅｍｏｒｙ）、及びＲＡＭ（Random Access Memory）を含むマイクロコンピュータとして構成されており、書込装置３２内の各装置各部を制御する。
【００８４】
電圧印加部４０は、表示媒体１０の電極１６及び電極１８に電圧を印加する。書込装置３２には、表示媒体１０を装着するためのスロット（図示せず）が設けられており、このスロットに表示媒体１０が装着されると、表示媒体１０の電極１６及び電極１８が、図示しない電気的接続部を介して電圧印加部４０に電気的に接続されるように構成されている。また、表示媒体１０がスロットに装着されると、光照射部３４は、表示媒体１０の基板１２側から基板１４側へ向かって露光光２６を照射可能な状態となる。
【００８５】
電圧印加部４０は、制御部３６から入力された信号に基づいた電圧を、表示媒体１０の電極１６及び電極１８に印加可能に構成されていればよいが、高速表示の観点から、ＡＣ出力が可能であり且つ高いスルーレートを有することが好ましい。電圧印加部４０としては、例えば、バイポーラ高電圧アンプなどを用いることができる。
【００８６】
光照射部３４は、上記露光光２６を表示媒体１０の光導電層２４に照射するための複数の光源３５１〜光源３５ｎを含んで構成されている。光源３５１〜光源３５ｎは、例えば、表示媒体１０の光導電層２４に画像が表示されたときの該画像の各画素に対応して設けられている。
【００８７】
制御部３６の制御によって表示媒体１０に記録する画像を構成する各画素に対応する位置の各光源３５１〜光源３５ｎ各々の点灯または非点灯、及び光量が制御されることで、光照射部３４から表示媒体１０の光導電層２４へ画像データに応じた露光光２６が照射される。
【００８８】
光源３５１〜光源３５ｎ各々は、上記露光光２６を照射するための露光光源３５Ａと、可視光２７を照射するための可視光光源３５Ｂと、を含んで構成されている。各光源３５１〜光源３５ｎに含まれる一対の露光光源３５Ａと可視光光源３５Ｂとは、各光源３５１〜光源３５ｎ毎に、表示媒体１０の光導電層２４の略同じ領域、すなわち略同じ画素に対応する領域へ光を照射可能に配置されている。このため、表示媒体１０への画像書込み時には、可視光領域外の露光光２６とともに可視光領域内の可視光２７が、光源３５１〜光源３５ｎ毎に表示媒体１０に照射される。
【００８９】
光照射部３４としては、上記構成を満たせばよく、ＬＥＤアレイ、ＣＲＴディスプレイ、プラズマディスプレイ、ＥＬディスプレイ等の自発光素子や、液晶シャッターなどの変調素子と蛍光管、キセノンランプ、ハロゲンランプ、水銀ランプ、ＬＥＤランプ、等の光源との組み合わせなどの、液晶プロジェクター、ＤＬＰプロジェクター、等でもよく、特に限定されるものではない。
【００９０】
なお、本実施の形態では、表示媒体１０が書込装置３２に装着された状態において、光照射部３４は、表示媒体１０の露光光２６照射側の表面の一部を覆うように設けられるように示しているが、実際には、光照射部３４は、表示媒体１０の露光光２６照射側の表面の全面を覆うように設けられており、表示媒体１０の露光光２６照射側の表面の全領域に渡って露光光２６を照射可能に設けられている。
【００９１】
出力部４２は、各種情報を書込装置３２の外部へ提示するための装置であって、ＣＲＴディスプレイ、ＥＬディスプレイ、液晶ディスプレイ等の各種表示装置や、スピーカー等の音声発生装置等を用いることができる。
【００９２】
メモリ３８は、後述する図５に示す処理ルーチンや各種データを予め記憶するとともに、表示媒体１０に書込む画像の画像データや、各種データを記憶するための記憶装置である。また、メモリ３８は、表示媒体１０に画像を書込むときに必要な明暗の差（コントラスト）の閾値を示すコントラスト閾値情報を予め記憶している。
このコントラスト閾値情報としては、予め表示媒体１０毎に測定し、表示媒体１０に画像を表示したときの明暗の差が良好に視認される程度となる閾値を予め測定してメモリ３８に記憶すればよい。この明暗の差とは、表示媒体１０に露光光２６が照射された領域と、照射されない領域と、の明るさの差を示している。
【００９３】
光量検出センサ４６は、表示媒体１０に照射される光の光量を検出するためのセンサであって、複数の支持部材４８を介して駆動部４５に支持されている。駆動部４５は、光量検出センサ４６を表示媒体１０の露光光２６照射側の全面を覆う位置（以下、検知位置と称する）、及び光量検出センサ４６を表示媒体１０の露光光２６照射側の全面を覆う位置から回避した位置（以下、回避位置と称する）、の双方に位置移動させるための駆動部であり、例えば、モータ等により構成することができる。
【００９４】
光量検出センサ４６は、光照射部３４により露光光２６が表示媒体１０へ照射される画像書込み時には、図３に示すように、駆動部４５によって駆動されて回避位置に位置している。そして、露光光２６の光量検出時には、図４に示すように、駆動部４５によって駆動されて検知位置に位置している。
【００９５】
光量検出センサ４６としては、光の光量を検出可能なセンサであればよく、例えば、Si、Ge、GaAsP、InGaAs/InPなどのPNフォトダイオード、PINフォトダイオード、アバランシェフォトダイオード、ショットキフォトダイオード、フォトトランジスタなどを用いることができる。
【００９６】
操作部４４は、各種情報を入力するときにユーザによって操作指示され、一例には、キーボードやタッチパネル等が挙げられる。通信部４７は、外部装置と有線または無線により信号授受を行うための通信ポートである。外部装置としては、パーソナルコンピュータ等が挙げられる。
【００９７】
次に、表示媒体１０への画像書込み前に、制御部３６で実行される処理を説明する。
【００９８】
なお、下記処理ルーチンの実行前に、表示媒体１０に書込む画像の画像データが通信部４７を介して入力されて、制御部３６の制御によってメモリ３８に予め記憶されているものとして説明する。
また、下記処理ルーチンの実行前には、光量検出センサ４６は、初期状態として回避位置に位置しているものとして説明する。
【００９９】
制御部３６では、ユーザによる操作部４４の操作によって、画像書込を指示する指示信号が入力されると、図５に示す処理ルーチンが実行されてステップ１００へ進み、光量検出センサ４６を回避位置から検知位置へ移動させることを示す駆動指示信号を駆動部４５へ出力する。
【０１００】
上記駆動指示信号が入力されると、駆動部４５は、支持部材４８を介して光量検出センサ４６を回転駆動することにより、光量検出センサ４６を検知位置へと移動させる。
【０１０１】
次のステップ１０２では、光量検出センサ４６から入力される光量検出結果を示す光量情報Ｘを読取り、次のステップ１０４においてメモリ３８に記憶する。ステップ１０２で読み取った光量情報Ｘは、光照射部３４から露光光２６が照射されていない状態で測定された、表示媒体１０に照射される光の光量である。このため、ステップ１０２の処理によって、書込装置３２に装着された表示媒体１０へ、露光光２６とともに照射される外光３０Ａの光量が測定される。
【０１０２】
次のステップ１０６では、光量検出のための露光光２６の照射開始を示す指示信号を光照射部３４へ出力する。露光光２６の照射開始を示す指示信号が入力されると、光照射部３４は、光源３５１〜光源３５ｎ各々の露光光源３５Ａから露光光２６の照射を開始する。なお、光照射部３４では、光量検出のための露光光２６の照射開示を示す指示信号が入力されたときには、光量検出時に用いる光量として、予め定められた光量の露光光２６の照射を開始する。この光量検出時に用いる光量としては、例えば、各光源３５１〜光源３５ｎから出力可能な光量の最低値と最大値との中間値を示す光量を定めるようにすればよい。
【０１０３】
次のステップ１０８では、光量検出センサ４６から入力される光量検出結果を示す光量情報Ｙを読取り、次のステップ１１０において、メモリ３８に記憶する。ステップ１０８で読み取った光量情報Ｙは、光照射部３４から露光光２６が照射された状態で測定された、表示媒体１０に照射されている光の光量である。このため、ステップ１０８では、表示媒体１０に照射される、外光３０Ａの光量と露光光２６の光量とを加算した光量を測定する。
【０１０４】
次のステップ１１２では、上記ステップ１０８で読み取った露光光２６の光量と外光３０Ａの光量との和としての光量情報Ｙから、上記ステップ１０２で読み取った外光３０Ａの光量を示す光量情報Ｘを減算する。上述のように、外光３０Ａは、遮光層２２によって吸収または反射されることから、この減算処理によって、表示媒体１０の光導電層２４に照射される露光光２６の光量と、光導電層２４に露光光２６が照射されていないときの光量との差が求められる。
すなわち、ステップ１１２の処理によって、表示媒体１０の光導電層２４に露光光２６が照射されているときと、露光光２６が照射されていないときと、の明暗の差（コントラスト量）が算出される。
【０１０５】
次のステップ１１４では、メモリ３８に記憶されているコントラスト閾値情報を読み取り、次のステップ１１６において、上記ステップ１１２で算出したコントラスト量が、上記ステップ１１４で読み取ったコントラスト閾値情報以上であるか否かを判別する。
【０１０６】
上記ステップ１１６の判断で否定され、算出したコントラスト量がコントラスト閾値情報未満である場合には、ステップ１２４へ進み、明暗コントラスト不良を示す情報を、出力部４２に音声出力または表示した後に、本ルーチンを終了する。
【０１０７】
上記ステップ１１６の判断で肯定され、算出したコントラスト量がコントラスト閾値情報以上である場合には、ステップ１１８へ進み、明暗コントラスト良好を示す情報を、出力部４２に音声出力または表示した後に、ステップ１２０へ進む。なお、明暗コントラストが良好であるばあいは書き込みが可能であるという情報を示し、明暗コントラストが不良である場合は書き込みが不可であるという情報を提示しても良い。
また、ここでは算出したコントラスト量とコントラスト閾値情報を用いて明暗コントラストの良好を判別したが、コントラストは光量に基づいているものであるため、予め定められた光量の閾値を用いて直接判断しても良い。
【０１０８】
ステップ１２０では、メモリ３８に記憶されている画像データの画像を表示媒体１０に書込むために、電極１６及び電極１８に電圧を印加することを示す電圧印加指示信号を電圧印加部４０へ出力する。この電圧印加指示信号は、例えば、画像データに応じて、表示媒体１０に画像を表示したときの各画素に対応する位置に、液晶層２０内の液晶の配向を変化させて視認可能となるように予め定めた電圧値の電圧を印加することを示す信号であり、上記画像データに応じて作成する。
【０１０９】
ステップ１２０の処理によって、電極１６及び電極１８に画像データに応じた電圧が印加される。
【０１１０】
次のステップ１２２では、メモリ３８に記憶されている画像データに応じた駆動信号を光照射部３４の光源３５１〜光源３５ｎ毎に作成し、光照射部３４の各光源３５１〜光源３５ｎへ出力する。
【０１１１】
ステップ１２２の処理によって、光照射部３４の各光源３５１〜光源３５ｎから、可視光２７とメモリ３８に記憶されている画像データに応じた露光光２６とが表示媒体１０へ照射される。
【０１１２】
このとき、光照射部３４から照射された可視光２７及び露光光２６と、書込み時に表示媒体１０に入射される外光３０Ａと、のうち、可視光２７及び外光３０Ａは、遮光層２２によって反射または吸収され、露光光２６のみが遮光層２２を透過して光導電層２４へ到る。
【０１１３】
電極１６及び電極１８に電圧が印加された状態で、露光光２６が光導電層２４に照射されると、照射された露光光２６の光量に応じて光導電層２４の電気特性分布としての抵抗分布が変化する。この光導電層２４の電気抵抗分布の変化によって、結果として液晶層２０に印加される電圧も露光光２６の光量に応じて変化し、液晶層２０に含まれる液晶の配向が変化して光学的特性分布が変化する。この変化によって、露光光２６に応じた画像が液晶層２０に書込まれる。この液晶層２０に書込まれた画像は、読出光３０Ｂ等の外光の液晶層２０による反射光として視認され、表示媒体１０に画像が書込まれ、表示される。
【０１１４】
（第２の実施の形態）
上記実施の形態では、表示媒体に遮光層が設けられている場合を説明したが、本実施の形態では、遮光層が表示媒体とは別体に構成され、書込装置側に遮光層が設けられている場合について説明する。なお、本実施の形態は、上記実施の形態と同様の構成のため、同一部分には同一符号を付与して詳細な説明を省略する。
【０１１５】
図６に示すように、本実施の形態の表示媒体１１は、電極１６及び電極１８を備えた基板１２及び基板１４間に、露光光２６の照射方向下流側から順に、光吸収層２１、光導電層２４、透明隔離層２３、液晶層２０が順に積層されて構成されている。
【０１１６】
光吸収層２１は、露光光２６の照射方向下流側から上流側に向かって入射される外部光３０の影響により、液晶層２０を露光光２６の照射方向から読み取るときにおける液晶層２０の視認性が低下することを防止する層であり、液晶層２０に記録された画像を読取るための読出光３０Ｂの波長域だけでなく可視波長域（４００〜７００ｎｍ）全域に亘り吸収することが好ましい。光学濃度は少なくとも１以上、特に２以上が望ましい。
【０１１７】
また、光吸収層２１としては、光吸収層２１内の電流によって解像度の低下を引き起こさないように、少なくとも体積抵抗率で１０8Ω・ｃｍ以上とすることが望ましい。さらに、液晶層２０に加わる分圧の変化分を大きくするためには、光吸収層２１の静電容量が大きい程よいので、誘電率が大きく層厚が可能な限り薄い方が好ましい。
【０１１８】
透明隔離層２３は、液晶層２０と光導電層２４とが直接接することを抑制するために、この二つの層を隔離するための層である。ここで「透明」とは、光の透過率が９０％以上である状態を示している。
【０１１９】
透明隔離層２３は、液晶を光導電体と接触させないという条件を満たす層であればよく、構成材料としては、水溶性の高分子であるＰＶＡなどを用いることができる。
【０１２０】
書込装置３３は、光照射部３４、出力部４２、制御部３６、メモリ３８、電圧印加部４０、遮光部材２９、操作部４４、及び通信部４７を含んで構成されている。なお、遮光部材２９は、上記実施の形態の遮光層２２に相当し、遮光層２２と同じ機能を有するとともに、同じ材料で構成されている。
【０１２１】
このように、本実施の形態では、第１の実施の形態の表示媒体１０及び書込装置３２とは異なり、遮光層２２が、表示媒体１０の内部ではなく、遮光部材２９として、書込装置３３側に設けられている。
【０１２２】
光照射部３４、出力部４２、メモリ３８、電圧印加部４０、操作部４４、及び通信部４７は、制御部３６に信号授受可能に接続されている。
【０１２３】
なお、本実施の形態では、光照射部３４に設けられている光源３５１〜光源３５ｎ各々は、露光光２６のみを照射するものとして説明するが、第１の実施の形態と同様に、露光光２６とともに可視光２７を照射する構成であってもよい。
【０１２４】
また、本実施の形態の書込装置３３には、第１の実施の形態に示す駆動部４５及び光量検出センサ４６が設けられていない場合を説明するが、第１の実施の形態と同様に、駆動部４５及び光量検出センサ４６が設けられている構成であってもよい。
【０１２５】
遮光部材２９は、書込装置３３の図示を省略するスロットに表示媒体１１が装着されて電圧印加部４０と電極１６及び電極１８とが信号授受可能に接続された状態にあるときに、表示媒体１１の光導電層２４より、光照射部３４による露光光２６照射方向上流側に設けられている。すなわち、遮光部材２９は、光照射部３４の各光源３５１〜光源３５ｎ各々から表示媒体１１へ向けて照射される露光光２６を遮ることが可能な位置に設けられている。
【０１２６】
なお、遮光部材２９は、表示媒体１１への露光光２６の照射とともに、外部光３０が光導電層２４に到ることを抑制する観点から、光照射部３４と、書込装置３３に装着された表示媒体１１との間において、表示媒体１１と接触しない程度に表示媒体１１に近い位置、または表示媒体１１の基板１２表面に接触するように設けられていることが好ましい。
【０１２７】
書込装置３３の光照射部３４の各光源３５１〜光源３５ｎから書込装置３３に装着された表示媒体１１に向けて露光光２６が照射されると、露光光２６とともに外光３０Ａもまた表示媒体１０へ照射される。しかし、照射された露光光２６と外光３０Ａの内、外光３０Ａについては、遮光部材２９によって吸収または反射され、遮光部材２９を透過した露光光２６のみが光導電層２４に到達する。
【０１２８】
このとき、電極１６及び電極１８に電圧印加部４０から電圧が印加されると、照射された露光光２６の光量に応じて光導電層２４の電気特性分布としての抵抗分布が変化する。この光導電層２４の電気抵抗分布の変化によって、結果として液晶層２０に印加される電圧も露光光２６の光量に応じて変化し、液晶層２０に含まれる液晶の配向が変化して光学的特性分布が変化する。この変化によって、露光光２６に応じた画像が液晶層２０に書込まれる。この液晶層２０に書込まれた画像は、読出光３０Ｂ等の外光の液晶層２０による反射光として視認され、表示媒体１１に画像が書込まれ、表示される。
【０１２９】
（第３の実施の形態）
上記第１の実施の形態では、表示媒体１０の液晶層２０と光導電層２４とが遮光層２２を介して積層されている場合を説明したが、本実施の形態では、さらに、光導電層２４を挟むようにもう一枚の遮光層が設けられている場合を説明する。なお、本実施の形態は、上記実施の形態と同様の構成のため、同一部分には同一符号を付与して詳細な説明を省略する。
【０１３０】
図７に示すように、本実施の形態の表示媒体１３は、電極１６及び電極１８を備えた基板１２及び基板１４間に、光導電層２４、光導電層を挟んで位置する２つの遮光層２２１及び遮光層２２２、液晶層２０が積層されて構成されている。
なお、遮光層２２２及び遮光層２２１は、上記実施の形態で説明した遮光層２２と同一機能を有し、且つ同一材料により構成されているため詳細な説明を省略する。
【０１３１】
表示媒体１３に、基板１２側から基板１４側へ向かって照射される露光光２６１によって画像が書き込まれる場合は、露光光２６１とともに外光３０Ａ１もまた基板１２側から基板１４側へ向かって照射される。しかし、照射された露光光２６１と外光３０Ａ１の内、外光３０Ａ１については、遮光層２２１によって吸収または反射されるが、露光光２６１は、遮光層２２１を透過して光導電層２４に到る。
【０１３２】
このとき、電極１６及び電極１８に電圧印加部４０から電圧が印加されると、照射された露光光２６１の光量に応じて光導電層２４の電気特性分布としての抵抗分布が変化する。この光導電層２４の電気抵抗分布の変化によって、結果として液晶層２０に印加される電圧も露光光２６１の光量に応じて変化し、液晶層２０に含まれる液晶の配向が変化して光学的特性分布が変化する。この変化によって、露光光２６１に応じた画像が液晶層２０に書込まれる。この液晶層２０に書込まれた画像は、読出光３０Ｂ等の外光の液晶層２０による反射光として視認され、表示媒体１０に画像が書込まれ、表示される。
【０１３３】
一方、表示媒体１３に、基板１４側から基板１２側へ向かって照射される露光光２６２によって画像が書き込まれる場合は、露光光２６２とともに外光３０Ａ２もまた基板１４側から基板１２側へ向かって照射される。しかし、照射された露光光２６２と外光３０Ａ２の内、外光３０Ａ２については、遮光層２２２によって吸収または反射されるが、露光光２６２は、遮光層２２２を透過して光導電層２４に到る。
【０１３４】
このとき、電極１６及び電極１８に電圧印加部４０から電圧が印加されると、照射された露光光２６２の光量に応じて光導電層２４の電気特性分布としての抵抗分布が変化する。この光導電層２４の電気抵抗分布の変化によって、結果として液晶層２０に印加される電圧も露光光２６２の光量に応じて変化し、液晶層２０に含まれる液晶の配向が変化して光学的特性分布が変化する。この変化によって、露光光２６２に応じた画像が液晶層２０に書込まれる。この液晶層２０に書込まれた画像は、読出光３０Ｂ等の外光の液晶層２０による反射光として視認され、表示媒体１０に画像が書込まれ、表示される。したがって、本実施形態では、基板１２側と基板１４側のいずれからでも画像の書き込みが可能となる。
【０１３５】
＜試験例＞
以上説明した本発明の表示媒体及び書込装置の効果を確認するため、以下の試験を行った。具体的には、図１に示す表示媒体を作成すると共に、本発明の構成を有しない表示媒体と、本発明の構成の表示媒体と、における、画像の書込まれた領域と画像の書込まれていない領域との明暗の差（コントラスト）を調べた。
【０１３６】
―表示媒体１の作製―
市販のＩＴＯ蒸着ＰＥＴ樹脂フィルムを基板１４及び電極１８とし、この上に、電荷発生層２４Ｃ、電荷輸送層２４Ｂ、及び電荷発生層２４Ａの３層構造の光導電層２４を形成した。まず、フタロシアニン顔料系電荷発生材料を分散したポリビニルブチラール樹脂のアルコール溶液をスピンコートして０．１μｍ厚の電荷発生層２４Ｃを形成し、つぎにジアミン系電荷輸送材料とポリカーボネート樹脂のクロロベンゼン溶液をアプリケータでコートして３μｍ厚の電荷輸送層２４Ｂを形成し、最後に再度、フタロシアニン顔料系電荷発生材料を分散したポリビニルブチラール樹脂のアルコール溶液をスピンコートして０．１μｍ厚の電荷発生層２４Ａを形成して光導電層２４を得た。
【０１３７】
得られた光導電層２４は、図９の線図に示されるように、赤外領域（波長７００〜８５０ｎｍに光感度を有していた。
【０１３８】
つぎに、完全けん化ポリビニルアルコール（ＰＶＡ）の水溶液をスピンコートして０．２μｍ厚のＰＶＡ膜を光導電層２４上に形成した。このＰＶＡ膜は、つぎに積層する遮光層２２の溶剤によって、電荷発生層２４Ａがダメージを受けないようにするための層である。
【０１３９】
つぎに遮光層２２として、プロピレングリコールモノエチルエーテルとシクロヘキサノンの混合溶媒中にアクリル樹脂を溶解した樹脂溶液中に、黒色ペリレン系顔料として、ＢＡＳＦ社製  Pigment  Black  ３１を３．０重量％分散し、これを１．２μｍ厚にスピンコートした。
【０１４０】
遮光層２２は、図８の線図に示すように、波長４００〜７００ｎｍで光学濃度１．０以上の吸収を示した。
【０１４１】
つぎに市販のＩＴＯ蒸着ＰＥＴ樹脂フィルムを基板１２および電極１６とし、その上にコレステリック液晶マイクロカプセル塗料を３０μｍ厚に塗布して液晶層２０とした。このＩＴＯ蒸着ＰＥＴ樹脂フィルム上に形成した液晶層２０の４辺に接着剤を塗布して、上記ＩＴＯ蒸着ＰＥＴ樹脂フィルム上に光導電層２４を介して形成した遮光層２２を液晶層２０に接するように向かい合わせて接触させた状態で、ラミネーターを通して貼り合わせることにより、表示媒体１を作製した。試験例１において作製した表示媒体１の露光強度と反射率との関係は、図１０に示す線図によって示された。
【０１４２】
上記コレステリック液晶マイクロカプセル塗料は以下のようにして得た。まず、ネマチック液晶Ｅ４４（メルク社製）にカイラル剤Ｒ１０１１（メルク社製）とカイラル剤Ｒ８１１（メルク社製）を適量添加して選択反射のピーク波長が５５０ｎｍになるようにコレステリック液晶を調製した。これにポリイソシアネート化合物タケネートＤ−１１０Ｎ（武田薬品工業社製）と酢酸エチルを加えて油相組成物を調製し、これを１％ポリビニルアルコール水溶液中に投入し、撹拌・乳化して１０μｍ径のｏ／ｗ型エマルジョンを調製した。これを６０℃で３時間加熱してポリウレタンを壁材とするマイクロカプセルを得た。マイクロカプセルを遠沈回収後、ポリビニルアルコール水溶液を加えてマイクロカプセル塗料とした。
【０１４３】
―表示媒体２の作製―
上記表示媒体１の作製において、遮光層２２の替りに、透明隔離層２３として、ＰＶＡをスピンコートすることにより形成するとともに、ＩＴＯ蒸着ＰＥＴ樹脂フィルム上に光吸収層２１として、カーボン顔料をＰＶＡバインダに分散したインクをスピンコートすることにより形成した後に光導電層２４を形成した以外は表示媒体１と同じようにして、表示媒体２（図６  表示媒体１１参照）を作製した。
【０１４４】
（試験例１）
上記作製した表示媒体１について、図３及び図４に示す書込装置３２を用いて、基板１２側から基板１４側へ向かって露光光２６の照射を行った。
【０１４５】
詳細には、電圧印加部４０として、高圧パルス発生装置を用いると共に、パーソナルコンピュータを、制御部３６、メモリ３８、出力部４２、操作部４４、及び通信部に相当する機能を有する装置として用いた。また、書込装置３２の光照射部３４としては、７８０ｎｍの赤外レーザ光を露光光２６として照射する、ミニプロジェクタを用いた。
【０１４６】
上記ミニプロジェクタを用いて露光光２６を露光強度２００μＷ／ｃｍ2で表示媒体１に露光するとともに、電極１６と電極１８に周波数１０Ｈｚ、波高値２７０Ｖの対称矩形波パルス電圧を２００ｍｓ印加して可視画像の記録を行った。
【０１４７】
（比較例１）
上記作製した表示媒体２について、試験例１と同じようにして可視画像の記録を行った。
【０１４８】
−コントラスト評価−
試験例１において可視画像を記録した表示媒体１、及び比較例１において可視画像を記録した表示媒体２各々について、可視画像の形成された領域と、形成されていない領域と、の明暗差（コントラスト）を、アドバンテスト社製オプティカルパワーメータTQ8210を用いて測定したところ、試験例１のコントラストは１０、比較例１では２であり、試験例１における表示媒体１のコントラストが比較例１における表示媒体２のコントラストに比べて大きかった。
【図面の簡単な説明】
【０１４９】
【図１】第１の実施の形態の表示媒体の一例を示す構成図である。
【図２】（Ａ）は、昼光色蛍光灯スペクトルの波長と比エネルギーとの関係を示すグラフであり、（Ｂ）は、高演色蛍光灯スペクトルの波長と比エネルギーとの関係を示すグラフである。
【図３】第１の実施の形態の表示媒体及び書込装置の一例を示す構成図である。
【図４】第１の実施の形態の表示媒体及び書込装置の一例を示す構成図である。
【図５】第１の実施の形態の書込装置の制御部で実行される処理を示すフローチャートである。
【図６】第２の実施の形態の書込装置の一例を示す構成図である。
【図７】第３の実施の形態の表示媒体の一例を示す構成図である。
【図８】試験例１において作製した表示媒体の遮光層の透過スペクトルを示す線図である。
【図９】試験例１において作製した表示媒体の光導電層の波長と比エネルギーとの関係を示す線図である。
【図１０】試験例において作製した表示媒体の露光強度と反射率との関係を示す模式的な線図である。
【図１１】（Ａ）、（Ｂ）は、従来の表示媒体の構成を示す模式図である。
【符号の説明】
【０１５０】
１０、１１、１３  表示媒体
１６、１８  電極
２０  液晶層
２２、２２１、２２２  遮光層
遮光層
２４  光導電層
２９  遮光部材
３２、３３  書込装置
３４  光照射部
３５Ｂ  可視光光源
３５Ａ  露光光源
３６  制御部
４０  電圧印加部
４２  出力部
４６  光量検出センサ
【図５】
2008083581.tif 000003
【図８】
2008083581.tif 000004
【図９】
2008083581.tif 000005
【図１０】
2008083581.tif 000006
【図１】
2008083581.tif 000007
【図２】
2008083581.tif 000008
【図３】
2008083581.tif 000009
【図４】
2008083581.tif 000010
【図６】
2008083581.tif 000011
【図７】
2008083581.tif 000012
【図１１】
2008083581.tif 000013